(57)【要約】【課題】  中性線切換機能を備えた延長線装置を提供する。【解決手段】  延長線装置１００はプラグ１０２により壁面コンセントの活線１０４および中性線１０６に接続する。この延長線装置１００は発光器１０８、保護要素１１０および切換器１１２を少なくとも備える。発光器１０８は、一方の端部が測定点１１４に接続され、他方の端部が抵抗１１６の一端に接続される。保護要素１１０は、一方の端部が測定点１１４に接続され、他方の端部が地板１１８に接続される。切換器１１２が第１位置１２０に切換えられたとき、切換器１１２は活線１０４を測定点１１４へ切換えて、切換器１１２が第２位置１２２に切換えられたとき、切換器１１２は中性線１０６を測定点１１４へ切換える。このようにプラグ１０２を挿抜することなく、延長線装置１００は切換器１１２を利用して中性ガイドプレート１３０を中性線１０６へ接続することができる。【選択図】  図１
0003107168.tif 000002
【実用新案登録請求の範囲】
【請求項１】
発光器、保護要素および切換器を備え、プラグにより壁面コンセントの活線および中性線に接続する中性線切換機能を有する延長線装置であって、
前記発光器は、一方の端部が測定点に接続され、他方の端部が抵抗に接続され、
前記保護要素は、一方の端部が前記測定点に接続され、他方の端部が地板に接続され、電力サージや瞬間大電流が通過することを防止し、
前記切換器が第１位置に切換えられたとき、前記切換器は前記活線を前記測定点へ切換え、
前記切換器が第２位置に切換えられたとき、前記切換器は前記中性線を前記測定点へ切換え、
前記プラグを挿抜することなく、前記切換器を利用して中性線を切換えて正確に接地することを特徴とする中性線切換機能を備えた延長線装置。
【請求項２】
前記切換器はスライド式切換器であることを特徴とする請求項１記載の中性線切換機能を備えた延長線装置。
【請求項３】
前記保護要素はヒューズであることを特徴とする請求項１記載の中性線切換機能を備えた延長線装置。
【請求項４】
前記保護要素は低抵抗体であることを特徴とする請求項１記載の中性線切換機能を備えた延長線装置。
【請求項５】
前記保護要素はセルフリセット式ヒューズであることを特徴とする請求項１記載の中性線切換機能を備えた延長線装置。
【請求項６】
前記発光器はネオンランプであることを特徴とする請求項１記載の中性線切換機能を備えた延長線装置。
【請求項７】
複数の三挿入穴、活線ガイドプレートおよび中性ガイドプレートをさらに備え、
前記活線ガイドプレート、前記中性ガイドプレートおよび前記地板は前記三挿入穴に対応し、各三挿入穴の横には接地ネジ穴が設けられ、接地線を備える電気製品に適用されることを特徴とする請求項１記載の中性線切換機能を備えた延長線装置。
【請求項８】
過負荷保護スイッチをさらに備え、
前記過負荷保護スイッチは、一方の端部が活線に接続され、他方の一端が活線ガイドプレートに接続され、
前記過負荷保護スイッチを通過する電流が過大となるとき、前記過負荷保護スイッチは前記活線と前記活線ガイドプレートとの接続を自動的に切断することを特徴とする請求項１記載の中性線切換機能を備えた延長線装置。
【請求項９】
過負荷保護スイッチをさらに備え、
前記過負荷保護スイッチは、一方の端部が前記中性線に接続され、他方の端部が中性ガイドプレートに接続され、
前記過負荷保護スイッチを通過する電流が過大となるとき、前記過負荷保護スイッチは前記中性線と前記中性ガイドプレートとの接続を自動的に切断することを特徴とする請求項１記載の中性線切換機能を備えた延長線装置。
【請求項１０】
発光器、抵抗および切換器を備え、プラグにより壁面コンセントの活線および中性線に接続する中性線切換機能を有する延長線装置であって、
前記発光器は、一方の端部が測定点に接続され、他方の端部が前記抵抗の一端に接続され、
前記切換器が第１位置に切換えられたとき、前記切換器は前記活線を前記測定点へ切換え、
前記切換器が第２位置に切換えられたとき、前記切換器は前記中性線を前記測定点へ切換え、
前記プラグを挿抜することなく、前記切換器により中性線を切換えて正確に接地することを特徴とする中性線切換機能を備えた延長線装置。
【請求項１１】
保護要素をさらに備え、
前記保護要素は、一方の端部は前記測定点に接続され、他方の端部が地板に接続され、電力サージや瞬間大電流の通過を防止することを特徴とする請求項１０記載の中性線切換機能を備えた延長線装置。
【請求項１２】
前記保護要素はヒューズであることを特徴とする請求項１１記載の中性線切換機能を備えた延長線装置。
【請求項１３】
前記保護要素は低抵抗体であることを特徴とする請求項１１記載の中性線切換機能を備えた延長線装置。
【請求項１４】
前記保護要素はセルフリセット式ヒューズであることを特徴とする請求項１１記載の中性線切換機能を備えた延長線装置。
【請求項１５】
前記切換器はスライド式切換器であることを特徴とする請求項１０記載の中性線切換機能を備えた延長線装置。
【請求項１６】
前記発光器はネオンランプであることを特徴とする請求項１０記載の中性線切換機能を備えた延長線装置。
【請求項１７】
前記延長線装置は複数の三挿入穴を備え、前記延長線装置は活線ガイドプレート、中性ガイドプレートおよび地板をさらに備え、前記活線ガイドプレート、前記中性ガイドプレートおよび前記地板は前記三挿入穴に対応し、各三挿入穴の横には接地ネジ穴が設けられて、接地線を備える電気製品に使用されることを特徴とする請求項１０記載の中性線切換機能を備えた延長線装置。
【請求項１８】
過負荷保護スイッチをさらに備え、
前記過負荷保護スイッチは、一方の端部が前記活線に接続され、他方の端部が活線ガイドプレートに接続され、
前記過負荷保護スイッチを通過する電流が過大となるとき、前記過負荷保護スイッチは前記活線と前記活線ガイドプレートとの接続を自動的に切断することを特徴とする請求項１０記載の中性線切換機能を備えた延長線装置。
【請求項１９】
過負荷保護スイッチをさらに備え、
前記過負荷保護スイッチは、一方の端部が前記中性線に接続され、他方の端部が中性ガイドプレートに接続され、
前記過負荷保護スイッチを通過する電流が過大となるとき、前記過負荷保護スイッチは前記中性線と前記中性ガイドプレートとの接続を自動的に切断することを特徴とする請求項１０記載の中性線切換機能を備えた延長線装置。
【請求項２０】
発光器、抵抗および切換器を備え、プラグにより壁面コンセントの活線および中性線に接続する電源線と中性線との切換装置であって、
前記発光器は、一方の端部が測定点に接続され、他方の端部が前記抵抗の一端に接続され、
前記切換器が第１位置に切換えられたとき、前記切換器は前記活線を前記測定点へ切換え、
前記切換器が第２位置に切換えられたとき、前記切換器は前記中性線を前記測定点へ切換え、
前記プラグを挿抜することなく、前記切換器を利用して前記中性線を切換えて正確に接地することを特徴とする電源線と中性線との切換装置。
【請求項２１】
電気製品に設置されることを特徴とする請求項２０記載の電源線と中性線との切換装置。
【考案の詳細な説明】
【技術分野】
【０００１】
本考案は、延長線装置に関し、特に活線および中性線を検視して地板を中性線へ切換える延長線装置に関する。
【背景技術】
【０００２】
一般の延長線には三つの挿入穴が設けられ、接地ピンを備える電気製品に使用される。例えば、一般のコンピュータのスクリーンおよび本体のプラグには接地ピンが設けられている。接地ピンは漏電及び電磁波の輻射を除去し、活線および中性線が反対に接続されることも防止できる。
【０００３】
ただし、一般的な壁面コンセントは単相で二つ穴のコンセントだけが提供されていたため、三つの挿入穴を有する延長線を接続することはできなかった。そのため一般の人は、延長線のプラグから接地ピンを抜いて壁面コンセントの二つ穴に適合させていた。このように、接地ピンはその機能を失い、ユーザはプラグの中性線と活線とが反対に挿入され、漏電および感応電流（電磁波輻射）を発生させる可能性があった。
【０００４】
従って、プラグを繰り返して挿抜せずに活線と中性線とを検視することができるとともに簡単な切換により地板を正確に接地することができ、電気製品に発生する感応電流（電磁波）および漏電を壁面コンセントの接地へ流して人体の健康を守り、感電を防止することのできる延長線装置が求められていた。
【考案の開示】
【考案が解決しようとする課題】
【０００５】
本考案の第１の目的は、プラグを繰り返して挿抜せずに活線および中性線を検視することができる延長線装置を提供することにある。
本考案の第２の目的は、電気製品に発生した感応電流（電磁波）および漏電を壁面コンセントの接地へ流して人体の健康を守り、感電を防止する延長線装置を提供することにある。
本考案の第３の目的は、簡単な切換えにより地板を正確に接地することができる延長線装置を提供することにある。
【課題を解決するための手段】
【０００６】
上述の目的を達成するため、本考案は中性線切換機能を備えた延長線装置を提供する。本考案の好適な一実施例によると、この延長線装置はプラグにより壁面コンセントの活線と中性線とを接続する。この延長線装置は発光器、保護要素および切換器を少なくとも備える。発光器の一方の一端は測定点に接続され、他方の一端は抵抗の一端に接続される。保護要素の一方の一端は測定点に接続され、他方の一端は地板に接続される。保護要素は電力サージや瞬間大電流の通過を防止する。切換器が第１位置に切換えられたとき、切換器は活線を測定点へ切換えて、切換器が第２位置に切換えられたとき、切換器は中性線を測定点へ切換える。そのためこの延長線装置は、プラグを挿抜せずに切換器を利用するだけで中性ガイドプレートを中性線へ接続することができる。
【０００７】
切換器は、例えばスライド式切換器である。保護要素は、例えばヒューズ、低抵抗体或いはセルフリセット式ヒューズである。発光器は、例えばネオンランプである。抵抗、発光器および切換器はあらゆる電気製品に応用し、活線および中性線を検知することができる。
【考案の効果】
【０００８】
本考案は少なくとも次の長所を有する。
本考案は切換器を備えているため、プラグを繰り返して挿抜しなくとも活線と中性線とを検視することができる。切換器が異なる位置に切り換えられると、発光器の発光結果により活線および中性線の正確な資料を提供することができる。室内配線に問題があるとき、本考案は室内配線の異常を発見することができる。ユーザは発光器が発光した場合、電気製品の電源を切らずとも、切換器を他方の位置へ切り換えるだけで、地板を壁面コンセントの中性線へ正確に接続することができるため、プラグを再び挿抜する必要はない。地板を正確に接続することにより、電気製品に発生していた感応電流（電磁波）および漏電を壁面コンセントの中性線へ流して人体の健康を守り、感電を防止することができる。
【考案を実施するための最良の形態】
【０００９】
図１は本考案の延長線装置の好適な一実施例を示す図である。図２は、図１の好適な一実施例を示す斜視図である。図１および図２に示すように、延長線装置１００はプラグ１０２により壁面コンセントの活線１０４および中性線１０６に接続される。延長線装置１００は発光器１０８、保護要素１１０および切換器１１２を備える。
【００１０】
発光器１０８は、一方の端部が測定点１１４に接続され、他方の端部が抵抗１１６の一端に接続される。保護要素１１０は、一方の端部が測定点１１４に接続され、他方の端部が地板１１８に接続される。保護要素１１０は電力サージや瞬間大電流が通過することを防止する。切換器１１２は、第１位置１２０へ切り換えられると、活線１０４を測定点１１４へ切り換える。切換器１１２は、第２位置１２２へ切り換えられると、中性線１０６を測定点１１４へ切り換える。これによりプラグ１０２を挿抜せずに、延長線装置１００は切換器１１２により活線１０４と中性線１０６とを切り換えてテストすることができるとともに、切換器１１２により地板１１８を中性線１０６へ正確に接続することもできる。
【００１１】
切換器１１２が第１位置１２０へ切り換えられると、活線１０４は測定点１１４に電性接続される。ユーザが指で抵抗１１６の一端１２４に触ると、発光器１０８は発光する。切換器１１２が第２位置１２２へ切り換えられると、中性線１０６は測定点１１４に電性接続される。そしてユーザが指で抵抗１１６の一端１２４に触っても、発光器１０８は発光しない。これにより発光器１０８は活線１０４および中性線１０６を検知することができる。
【００１２】
プラグ１０２がすでにコンセントに挿入されている場合、プラグ１０２を抜いて方向を換えて再び挿入する必要はなく、ただ切換器１１２により活線１０４と中性線１０６とを切り換えるだけで発光器１０８による検知動作の利便性を高めることができる。ユーザは発光器１０８が発光すると、切換器１１２を他方のもう一つの位置へ切り換えるだけで、電気製品の電源を切らずに地板１１８を壁面コンセントの中性線１０６へ正確に電性接続することができるため、プラグ１０２を再び挿抜する必要がなく非常に便利である。
【００１３】
切換器１１２は、図１に示すようにスライド式の切換器である。延長線装置１００は複数の三挿入穴１２６を備えている。延長線装置１００は活線ガイドプレート１２８および中性ガイドプレート１３０を備えている。活線ガイドプレート１２８、中性ガイドプレート１３０および地板１１８は、これら三挿入穴１２６に対応する。各三挿入穴１２６の横には接地ネジ穴１３２が設けられ、接地線を備える電気製品に使用される。保護要素１１０は、例えばヒューズ、低抵抗体またはセルフリセット式ヒューズ（リセッタブルヒューズ）である。保護要素１１０は、電力サージや瞬間大電流が通過することを防止できる。発光器１０８は、例えばネオンランプである。
【００１４】
延長線装置１００は過負荷保護スイッチ１３４を備えている。この過負荷保護スイッチ１３４は、一方の端部が活線１０４へ接続され、他方の端部が活線ガイドプレート１２８へ接続される。過負荷保護スイッチ１３４を通過する電流が過大となるとき、過負荷保護スイッチ１３４は自動的に活線１０４と活線ガイドプレート１２８との接続を切断する。
【００１５】
プラグが反対方向にコンセントへ挿入されると、図１に示す活線１０４と中性線１０６とは反対になるが、切換器１１２の機能には影響を与えない。そして、切換器１１２は依然として活線１０４と中性線１０６との間で切換えを行うことができる。この時、過負荷保護スイッチ１３４は一方の端部が中性線１０４（元は活線１０４である）に接続され、他方の端部が中性ガイドプレート１２８（元は活線ガイドプレート１２８である）に接続される。過負荷保護スイッチ１３４を通過する電流が過大となるとき、過負荷保護スイッチ１３４は中性線１０４と中性線ガイドプレート１２８との接続を切断する。
【００１６】
図１に示すように、電源線検知装置１３６は、抵抗１１６、発光器１０８および切換器１１２を備えている。電源線検知装置１３６は、延長線装置１００中だけの使用には限定されなず、あらゆる家庭用電気製品に使用することができる。そして活線および中性線を検知して電気製品を正確に接地することができる。
【００１７】
上述した本考案の好適な一実施例から分かるように、本考案を適用した実施例は少なくとも次の長所を有する。図１および図２に示すように、切換器１１２を備えているため、プラグを繰り返して挿抜せずに活線１０４および中性線１０６を検視することができる。切換器１１２が異なる位置に切り換えられるとき、発光器１０８の発光結果により活線１０４および中性線１０６の正確な資料を提供することができる。
【００１８】
発光器１０８の発光に気が付いたときユーザは切換器１１２を他方の位置へ切り換えるだけで、電気製品の電源を切らずに地板１１８を壁面コンセントの中性線１０６へ正確に接続することができる。そのためプラグ１０２を再び挿抜する必要がなく、非常に便利である。地板１１８を正確に接続することにより、電気製品に発生する感応電流（電磁波）および漏電を壁面コンセントの中性線１０６へ流して人体の健康を守り、感電を防止することができる。
【００１９】
本考案では好適な実施形態を前述の通り開示したが、これらは決して本考案を限定するものではなく、当該技術を熟知するものなら誰でも、本考案の主旨と領域を脱しない範囲内で各種の変動や潤色を加えることができる。従って本考案の保護の範囲は、請求の範囲で指定した内容を基準とする。
【図面の簡単な説明】
【００２０】
【図１】本考案による延長線装置の好適な一実施例を示す図である。
【図２】図１の好適な一実施例を示す斜視図である。
【符号の説明】
【００２１】
１００  延長線装置、１０２  プラグ、１０４  活線、１０６  中性線、１０８  発光器、１１０  保護要素、１１２  切換器、１１４  測定点、１１６  抵抗、１１８  地板、１２０  第１位置、１２２  第２位置、１２４  抵抗の一端、１２６  三挿入穴、１２８  活線ガイドプレート、１３０  中性ガイドプレート、１３２  接地ネジ穴、１３４  過負荷保護スイッチ、１３６  電源線検知装置
【図１】
0003107168.tif 000003
【図２】
0003107168.tif 000004